(57)【要約】【課題】送風機をコンパクトに配置することが可能であるとともに、空気調和対象の空間における温度分布のむらを解消させることが可能な送風機を備えた照明器具を提供する。【解決手段】照明器具１において、プロペラファン６０の羽根６は、照明部８の中心部に形成された空間８ｃに配置され、且つ、鉛直方向に沿う方向について、照明部８の上端８ａの位置に羽根６の下端の位置が略一致する位置と、照明部８の下端８ｅの位置に羽根６の下端の位置が略一致する位置との間に配置される。照明器具１には、羽根６よりも上方から空間８ｃに空気を導入させる開口部分１３と、空間８ｃに連続するように空間８ｃの下方に位置する開口１４とが形成されている。照明器具１においては、全風量が８ｍ3／ｍｉｎ以上の空気が開口１４から吹き出されるように、開口１４の直径および羽根６の直径が設定され、且つ、プロペラファン６０が回転する。【選択図】図１
2014152627.tif 000002
【特許請求の範囲】
【請求項１】
羽根を含み且つ略鉛直方向に延びる回転軸線を有する送風機と、発光体を含む照明部とを備えた、照明器具であって、
前記羽根は、前記照明部の中心部に形成された空間に配置され、且つ、鉛直方向に沿う方向について、前記照明部の上端の位置に前記羽根の下端の位置が略一致する位置と、前記照明部の下端の位置に前記羽根の下端の位置が略一致する位置との間に配置され、
前記照明器具には、前記羽根よりも上方から前記空間に空気を導入させる吸込口と、前記空間に連続するように前記空間の下方に位置し、且つ、前記空間の外部に空気を導出させる吹出口とが形成され、
全風量が８ｍ3／ｍｉｎ以上の空気が前記吹出口から吹き出されるように、前記吹出口の直径および前記羽根の直径が設定され、且つ、前記送風機が回転する、照明器具。
【請求項２】
全風量が８ｍ3／ｍｉｎ以上且つ３２ｍ3／ｍｉｎ以下の空気が前記吹出口から吹き出されるように、前記吹出口の直径および前記羽根の直径が設定され、且つ、前記送風機が回転する、請求項１に記載の照明器具。
【請求項３】
前記吹出口から吹き出される空気の風速が０．６ｍ／ｓ以上且つ１．７ｍ／ｓ以下であるように、前記送風機が回転する、請求項１または請求項２に記載の照明器具。
【請求項４】
前記羽根の直径ｄ1と、前記吹出口の直径ｄ0との間には、ｄ1≧０．８ｄ0の関係が成り立つ、請求項１から請求項３までのいずれか１項に記載の照明器具。
【請求項５】
前記照明部は、前記照明部において室内の床に面する下面を有し、
前記下面は、斜め鉛直下方に向かって延びるように水平方向から傾斜する傾斜部を有する、請求項１から請求項４までのいずれか１項に記載の照明器具。
【発明の詳細な説明】
【技術分野】
【０００１】
本発明は、一般的には照明器具に関し、特定的には、室内等の空間を移動する気流を発生させる送風機を備えた照明器具に関する。
【背景技術】
【０００２】
室内等の空間における空気を調和させる空気調和機の作動によって、温度分布のむらが室内に発生することが一般的に知られている。すなわち、空気調和機が冷房運転を行う場合には、床面近傍に冷気が溜まり易く、天井近傍に冷気は溜まり難い。一方、空気調和機が暖房運転を行う場合には、床面近傍には暖気が溜まり難く、天井近傍に暖気が溜まり易い。
【０００３】
このような温度分布の発生を防止するために、扇風機またはサーキュレータを空気調和機とともに使用することが普及している。しかしながら、扇風機またはサーキュレータが使用される多くの場合には、扇風機またはサーキュレータが室内の隅に配置される。そのため、扇風機またはサーキュレータによって、室内全体において特に天井と床面との間を循環するような気流を発生させることは困難である。
【０００４】
一方、１００ｃｍを超えるような直径を有する一般的なシーリングファンを天井に設置し、シーリングファンの作動によって、室内全体を循環する気流を発生させることが可能である。しかしながら、室内の天井の高さが比較的低い場合等、シーリングファンが設置される室内の大きさによっては、当該シーリングファンが居住者に対する障害物となり得る。一方、室内等の空間に気流を発生させる送風機を備えた照明器具が提案されている。
【０００５】
送風機を備えた照明器具として、例えば、特許第３９９１５７５号公報（以下、特許文献１という）に記載された循環送風機と、特開２０１０−２４３０２８号公報（以下、特許文献２という）に記載された照明付サーキュレータと、特開２０１２−６９３４０号公報（以下、特許文献３という）に記載された空調照明器具とが知られている。
【０００６】
特許文献１に記載された循環送風機においては、照明器本体の上方に送風機としての遠心ファンが配置されている。このように、室内等の空間に気流を発生させる送風装置としての遠心ファンが、略水平方向において照明器本体に対してコンパクトに配置されている。遠心ファンの回転によって、室内の中央部の空気が吸込口に吸い込まれる。吸込口は、照明器本体の上方且つ遠心ファンの外周に位置する。吸込口から遠心ファンの周囲には、略水平方向に沿って空気が吸い込まれる。
【０００７】
吸い込まれた空気は、遠心ファンの外周のうちの吸込口と異なる位置に位置する吹出口から吹き出される。空気は、遠心ファンの周囲から吹出口の外部に、水平方向よりも若干斜め下方に向かって吹き出される。
【０００８】
特許文献２に記載された照明付サーキュレータにおいては、複数のクロスローファンが照明部に隣接して配置されている。このように、特許文献２に記載された照明付サーキュレータにおいては、複数のクロスフローファンの作動によって、室内の全体を循環する気流を発生させることができる。
【０００９】
特許文献３に記載された空調照明器具は、ファンと、ファンの回転によって移動する空気の流路に設けられた照明具とを備えている。特許文献３に記載された空調照明器具においては、当該照明器具の中心にファンが配置されている。このように、室内等の空間に気流を発生させる送風機としてのファンが、当該照明器具にコンパクトに配置されている。特許文献３に記載された空調照明器具においては、ファンの回転によって移動する空気の流路としてファンの外周に配置された照明具を、ファンの回転によって冷却することができる。これにより、照明具の熱劣化を低減している。
【先行技術文献】
【特許文献】
【００１０】
【特許文献１】特許第３９９１５７５号公報
【特許文献２】特開２０１０−２４３０２８号公報
【特許文献３】特開２０１２−６９３４０号公報
【発明の概要】
【発明が解決しようとする課題】
【００１１】
特許文献１に記載の循環送風機において、略水平方向に沿って遠心ファンの周囲に吸い込まれた空気は、遠心ファンの周囲から略水平方向に吹き出される。そのため、遠心ファンによって発生する気流は、略鉛直方向の成分を殆ど有していないため、室内の天井と床面との間を循環する程度に十分に往復しない。すなわち、遠心ファンの通常の作動によって発生する気流によっては、室内において空気を効果的に移動させることができないと考えられる。
【００１２】
また、特許文献１に記載の循環送風機において、遠心ファンは、照明器本体の上方に配置されている。そのため、略鉛直方向に沿って照明器本体から遠心ファンが突出するように、略鉛直方向においては照明器本体に対して遠心ファンがコンパクトに配置されない。これにより、室内の居住者に圧迫感を覚えさせるおそれがある。
【００１３】
特許文献２に記載の照明付サーキュレータにおいては、室内の全体を循環する気流を発生させるために、複数のクロスフローファンを照明部に隣接して設置する必要がある。また、特許文献２に記載の照明付サーキュレータは、複数のクロスフローファンが照明部の外部に配置されているため、クロスフローファンが照明部にコンパクトに配置されたものではない。
【００１４】
特許文献３に記載された空調照明器具におけるファンは、照明具を冷却する目的で当該照明器具の中心に配置されたものであって、室内等の空間を循環する気流を発生させるためのものではない。つまり、特許文献３に記載された空調照明器具は、ファンの作動によって発生する気流が、室内を流通するように設計されたものではない。特許文献３に記載された空調照明器具においては、ファンに吸引される空気の通路に、照明具が配置されている。ファンの作動によって発生する気流は、ファンと照明具との間を循環するだけである。
【００１５】
特許文献１に記載の循環送風機または特許文献３に記載された空調照明器具のように、空気調和対象の室内において空気を効果的に移動させることができない場合には、当該室内の空気を調和するときに、当該室内における温度分布にむらが生じるおそれがある。
【００１６】
そこで、本発明の目的は、送風機をコンパクトに配置することが可能であるとともに、空気調和対象の空間における温度分布のむらを解消させることが可能な送風機を備えた照明器具を提供することである。
【課題を解決するための手段】
【００１７】
本発明に従った照明器具は、送風機と、照明部とを備える。送風機は、羽根を含み且つ略鉛直方向に延びる回転軸線を有する。照明部は、発光体を含む。羽根は、照明部の中心部に形成された空間に配置され、且つ、鉛直方向に沿う方向について、照明部の上端の位置に羽根の下端の位置が略一致する位置と、照明部の下端の位置に羽根の下端の位置が略一致する位置との間に配置される。
【００１８】
照明器具には、羽根よりも上方から空間に空気を導入させる吸込口と、空間に連続するように空間の下方に位置し、且つ、空間の外部に空気を導出させる吹出口とが形成されている。本発明に従った照明器具においては、全風量が８ｍ3／ｍｉｎ以上の空気が吹出口から吹き出されるように、吹出口の直径および羽根の直径が設定され、且つ、送風機が回転する。
【発明の効果】
【００１９】
本発明によれば、送風機をコンパクトに配置することが可能であるとともに、空気調和対象の空間における温度分布のむらを解消させることが可能な送風機を備えた照明器具を提供することができる。
【図面の簡単な説明】
【００２０】
【図１】本発明に従った照明器具の一例を概略的に示す縦断面図である。
【図２】本発明に従った照明器具の一例の制御関連を示す制御ブロック図である。
【図３】本発明に従った照明器具の一部断面図であって、室内等の空間を循環する気流を概略的に示す図である。
【図４】本発明に従った照明器具の照明部に取り付けられた発光ダイオードの配置の一例を概略的に示す図であって、図１に示すＩＶ−ＩＶ線の縮小断面図である。
【図５】本発明に従った照明器具の照明部に取り付けられた発光ダイオードの配置の別の一例を概略的に示す図であって、図１に示すＩＶ−ＩＶ線の縮小断面図である。
【図６】本発明に従った照明器具を概略的に示す縦断面図であって、照明部の中心部に形成された空間におけるプロペラファンの羽根の好ましい位置について説明するための図である。
【図７】本発明に従った照明器具の別の一例を概略的に示す縦断面図である。
【図８】本発明に従った照明器具の別の一例の制御関連を示す制御ブロック図である。
【図９】本発明に従った照明器具の別の一例において実行される制御の一例のフローチャートである。
【図１０】本発明に従った照明器具の別の一例において実行される制御の一例によって変化する室内の温度として当該照明器具によって検知される温度と、実行される制御の一例のシーケンスとの関係を模式的に示す図である。
【図１１】本発明に従った照明器具の別の一例において実行される制御の別の一例のフローチャートである。
【図１２】本発明に従った照明器具の別の一例において実行される制御の別の一例によって変化する室内の天井付近の温度と、実行される制御の別の一例のシーケンスとの関係を模式的に示す図である。
【図１３】実施例の実験例１が行われる室内における風速の測定点と温度差の測定点とを示す模式図であって、略水平方向に沿って当該室内を見た図である。
【図１４】実施例の実験例１が行われる室内における風速の測定点と温度差の測定点とを示す模式図であって、天井から床に向かって当該室内を見た図である。
【図１５】実施例の実験例１において得られるデータであって、送風機から発生する気流の全風量に応じた当該室内の温度分布の変化を示すグラフである。
【図１６】実施例の実験例２において得られるデータであって、送風機が発生させる気流の風速および全風量の値に応じた騒音値の変化を示すグラフである。
【図１７】実施例の実験例３において得られるデータであって、送風機が発生させる気流の風速に対する体感温度の値と空気調和機における設定温度との差と、送風機が発生させる気流の風速との関係を示すグラフである。
【図１８】実施例の実験例４において得られるデータであって、吹出口の直径に対する羽根の直径と、送風機を作動させる場合に変化する照明器具の温度との関係を示すグラフである。
【図１９】実験例５において得られるデータであって、モータの回転数と送風機から発生する気流の全風量との関係を示すグラフ、および、モータの回転数と室内における温度差の飽和値との関係を示すグラフである。
【図２０】実験例５において得られるデータであって、吹出口の直径に対応されたモータの回転数と室内における温度差の飽和値との関係を示すグラフである。
【図２１】実験例５において得られる別のデータであって、吹出口の直径に対応されたモータの回転数に応じた騒音値の変化を示すグラフである。
【発明を実施するための形態】
【００２１】
以下、本発明の実施の形態を図面に基づいて説明する。
【００２２】
（第１実施形態）
図１に、本発明に従った照明器具の一例である照明器具１を示す。図１に示すように、照明器具１は、送風機の一例としてのプロペラファン６０と、照明部８とを備えている。照明器具１は、室内の天井に設けられたローゼット２０を介して天井に設置される。照明器具１は、筐体１２を備えている。筐体１２は、略水平方向に延びる頂壁１２ａと、頂壁１２ａの下方において略水平方向に延びる隔壁１２ｂと、隔壁１２ｂよりも下方において照明部８を吊るすための複数の棒状または壁状の吊部１１とを有する。筐体１２において、頂壁１２ａと隔壁１２ｂとの間には、略円柱形状を有する周壁１２ｅが形成されている。ローゼット２０に接続するアダプタ２は、筐体１２の頂壁１２ａに固定されている。
【００２３】
筐体１２において、周壁１２ｅと頂壁１２ａと隔壁１２ｂとによって囲まれる空間１２ｄには、図示しない電気部品および制御基板等が収容されている。電気部品とアダプタ２との間に延びる配線等も、空間１２ｄに配置されている。隔壁１２ｂの下方には、隔壁１２ｂと吊部１１とによって挟まれるように、空間１２ｃが形成される。プロペラファン６０は、空間１２ｃに配置される。空間１２ｃは、吊部１１の周囲（言い換えると、隔壁１２ｂの下方において吊部１１が占める部分を除いた開口部分）を介して照明部８の周辺の空間と連続する。
【００２４】
プロペラファン６０は、筐体１２に収容される。プロペラファン６０の数は一である。プロペラファン６０と筐体１２とは一体でなく、筐体１２にプロペラファン６０が取り付けられることによって、プロペラファン６０が筐体１２および照明部８に対して固定される。プロペラファン６０は、駆動部としてのモータ５と、羽根６と、スピンナー７とを有する。スピンナー７は、モータ５の軸５ａと羽根６とを固定する。隔壁１２ｂに固定された接続部４に、軸５ａを含むモータ５が連結されることによって、プロペラファン６０が空間１２ｃに配置される。モータ５のカバーとしての接続部４は、ネジ等によって隔壁１２ｂに固定される。プロペラファン６０の回転軸線が延びる方向は、軸５ａが延びる方向と略一致する。
【００２５】
モータ５および軸５ａは、正回転と逆回転とが可能であるように構成されている。なお、図１においては、アダプタ２と接続部４とプロペラファン６０との各内部の構成を省略して示す。
【００２６】
照明部８と吊部１１とは、ネジ等の締結によって固定される。照明部８は、後述する光源としての発光ダイオードを含む。また、照明部８は、それぞれ図示しない、基板と、反射シートと、光を拡散させるカバー部材とを含む。基板には、発光ダイオードが取り付けられる。
【００２７】
照明部８は、略円環形状を有している。照明部８は、上面８ｂと下面８ｆとを有している。照明部８の上端８ａは上面８ｂに位置し、照明部８の下端８ｅは下面８ｆに位置する。また、照明部８の中心部には、空間８ｃが形成される。隔壁１２ｂの下方においては、空間８ｃが空間１２ｃに含まれる。プロペラファン６０の羽根６とスピンナー７とは、空間８ｃに配置される。このように、プロペラファン６０の少なくとも一部は、空間８ｃに配置される。
【００２８】
隣り合う二つの吊部１１の隙間、つまり、隔壁１２ｂの下方において吊部１１が占める部分を除いた開口部分１３は、プロペラファン６０よりも上方から空間１２ｃに空気を導入させる吸入口である。あるいは、隔壁１２ｂの下方において吊部１１が占める部分を除いた開口部分１３は、プロペラファン６０よりも上方に空間１２ｃから空気を導出させる吹出口である。モータ５が正回転する場合には、当該開口部分１３が上部の吸入口として機能する。一方、モータ５が逆回転する場合に、当該開口部分１３が上部の吹出口として機能する。
【００２９】
照明部８の突起部１９は、略円柱形状を有する。突起部１９を縁とする開口１４は、鉛直下方に面する。開口１４は、空間８ｃに連続し且つ空間８ｃの下方に位置する。開口１４は、空間１２ｃの外部に空気を導出させる吹出口である。あるいは、開口１４は、空間１２ｃに空気を導入させる吸込口である。モータ５が正回転する場合には、開口１４は、吹出口として機能する。一方、モータ５が逆回転する場合に、開口１４は、吸込口として機能する。突起部１９は、図示しないファンカバーを突起部１９に取り付けることができるように構成されている。
【００３０】
このように、突起部１９は、吹出口または吸込口としての開口１４を形成する。また、照明部８の上面８ｂと筐体１２とに挟まれた空間は、上部吸込部または上部吹出部を形成する。モータ５が正回転する場合にプロペラファン６０によって送出される気流は、開口１４を通って、照明部８の下面８ｆに沿って空間１２ｃから下方に流出する。室内の床面で反射する気流は、天井に向かって上方に移動する。天井付近に到達した気流は、照明部８の上面８ｂに沿って空間１２ｃの内部に流入する。
【００３１】
モータ５が逆回転する場合にプロペラファン６０によって送出される気流は、隔壁１２ｂと照明部８の上面８ｂとに沿って流れるように、空間１２ｃから斜め上方に流出する。空間１２ｃから流出した気流は、天井に向かって移動した後に天井で反射する。天井で反射することによって下方に移動する気流は、床面で反射した後に天井に向かって上方に移動する。さらに、気流は、照明部８の下端８ｅ近傍に到達するときに、照明部８の下面８ｆに沿って開口１４から空間１２ｃの内部に流入する。
【００３２】
室内を循環するために十分な流量の気流を発生させるために、羽根６の直径ｄ1は、開口１４の直径ｄ0に対して、ｄ1≧０．８ｄ0の関係が成り立つように設定される。プロペラファン６０をこのように構成することにより、プロペラファン６０は室内を循環するために十分な流量の気流を発生させると同時に、照明部８を効果的に冷却することができる。すなわち、プロペラファン６０の直径ｄ1は、照明部８を冷却する目的においても、最適に設定されている。なお、吹出口としての開口１４の直径ｄ0については、縁としての突起部１９の寸法を無視することによって、照明部８の内側面１８の直径を開口１４の直径ｄ0と見なしてもよい。
【００３３】
図２は、照明器具１の制御関連を示す制御ブロック図である。照明器具１は、マイクロコンピュータと入出力回路等から構成される制御部３を備えている。リモートコントローラ３１が使用者に操作されることによって、リモートコントローラ３１から信号が出力される。受光部３２は、この信号を入力する。受光部３２は、例えば照明器具１（図１参照）の底面に設けられている。照明器具１において受光部３２が設けられる箇所は、例えば、照明部８（図１参照）の下部であってもよく、スピンナー７（図１参照）であってもよい。
【００３４】
受光部３２が入力した信号に含まれる情報に基づいて、制御部３は、モータ５と照明部８とを制御する。制御部３による制御によって、照明部８において、後述する光源の点灯と消灯とが切り替えられ、且つ、光源の輝度もしくは色調等が調整される。また、制御部３による制御によって、モータ５の駆動および駆動の停止を含むモータ５の回転数が調整される。
【００３５】
制御部３は、開口１４から吹き出される全風量が８ｍ3／ｍｉｎ以上であるようにモータ５の回転数を制御する。この風量は、床から１２０ｃｍの高さで得られる値である。風速は、床から１２０ｃｍの高さ且つ照明器具１の中心の鉛直下方の位置から水平方向に５ｃｍ離れた位置において得られる値である。床から１２０ｃｍの高さの位置は、成人男性の座高を想定した位置である。このような大きさの全風量によれば、室内の空気が十分に撹拌されることにより、室内の温度分布のむらを改善することができる。
【００３６】
なお、必要な全風量および風速は、例えば、羽根６における直径、厚さ、および、枚数等、プロペラファン６０の仕様に応じてプロペラファン６０の回転数を最適に制御することによって得ることができる。
【００３７】
なお、騒音の抑制の観点から、全風量の上限は６７ｍ3／ｍｉｎ以下に設定されることが好ましい。
【００３８】
さらに好ましくは、開口１４から吹き出される全風量が８ｍ3／ｍｉｎ以上且つ３２ｍ3／ｍｉｎ以下に設定されることが好ましい。このような全風量によれば、室内における騒音を低減させることができるとともに、室内に居る人は、風に当たっているという感触が弱くなる一方で、体感温度の低下を実感することができる。そのため、室内の快適性を向上させることができる。
【００３９】
さらに、照明器具１においては、プロペラファン６０の回転によって得られる全風量をＱ（ｍ3／ｍｉｎ）、且つ、モータ５の回転数をＮ（ｒｐｍ）とする場合に、全風量Ｑと回転数Ｎとの関係は、Ｑ≦０．０９４Ｎ−１５．８が成り立つことが好ましい。Ｑ≦０．０９４Ｎ−１５．８が成り立つように制御部３がモータ５を制御することによって、多くの場合において、床上約０．１ｍから１．８ｍの間における室内の温度差を３℃以内に抑えることができる。なお、全風量Ｑは、床から１２０ｃｍの高さにおいて得られる値である。
【００４０】
さらに好ましくは、開口（吹出口）１４の直径をｄ0（ｍｍ）とした場合に、モータ５の回転数Ｎと開口１４の直径ｄ0との関係について、０．７４ｄ0≦Ｎ≦２．１９ｄ0が成立することが好ましい。この関係式が成り立つ場合において、Ｎ≧０．７４ｄ0のときには、略確実に床上約０．１ｍから１．８ｍの間における温度差を３℃以内に抑えることができる。また、Ｎ≦２．１９ｄ0が成立するように制御部３がモータ５を制御する場合には、照明器具１から鉛直下方に約１．０ｍ離れた地点において、プロペラファン６０の回転による騒音が急激に上昇する手前の回転数Ｎを得ることができる。このようにモータ５の回転数Ｎを制御することにより、室内における温度分布のむらを解消しつつ、プロペラファン６０の騒音を低減させることができる。
【００４１】
図３は、照明器具１の一部断面図であって、室内等の空間を循環する気流を概略的に示す図である。プロペラファン６０においてモータ５の正回転とともに羽根６が正回転することによって、図３の矢印に示すように、天井付近から空間１２ｃに空気が吸い込まれ（Ｃ１）、且つ、空間１２ｃから下方に空気が流出する（Ｃ２）。プロペラファン６０においてモータ５の逆回転とともに羽根６が逆回転する場合には、プロペラファン６０によって送出される空気は、図示された矢印Ｃ１，Ｃ２の逆の方向に移動する。
【００４２】
照明部８の上面８ｂは、照明部８において室内の天井に面する。上面８ｂは、天井に向かって湾曲する曲面形状を有する。より詳細には、上面８ｂは、天井および空間８ｃに向かって突出する曲面形状と、天井および空間８ｃの反対側に向かって突出する曲面形状とを有する。照明部８の縦断面において、上面８ｂは、鉛直方向に沿った照明部８の上端８ａから中間部まで連続する滑らかな曲線形状を有する。
【００４３】
また、照明部８の底面を形成する下面８ｆは、水平方向および鉛直方向から傾斜した形状を有する。照明器具１が天井に設置される場合に、下面８ｆは、照明部８において室内の床に面する。照明部８のうち、接続部９と接続する部分よりも下方の部分としての下面８ｆは、照明部８の中心および床に向かって突出するように、曲面形状を有している。より詳細には、下面８ｆは、床および空間８ｃに向かって突出する曲面形状と、床および空間８ｃの反対側に向かって突出する曲面形状とを有する。照明部８の縦断面において、下面８ｆは、鉛直方向に沿った照明部８の下端８ｅから中間部まで連続する滑らかな曲線形状を有する。このように、下面８ｆは、斜め鉛直下方に向かって延びるように水平方向から傾斜する傾斜部を有する。なお、照明部８において吊部１１と接触する部分は、略鉛直方向に延びている。
【００４４】
例えば、上部吸込部として、照明部８の周辺から空間１２ｃに流入される前に空気が流通する流路が略直角に折れ曲がるように形成される場合には、このように急激に進行方向が変更される程度に曲がった部分の縁において流れが滞留する部分が生じる。そのため、空気の流路の面積が減少することによって、送風性能が低下する。
【００４５】
一方、照明部８のように、天井と上面８ｂとの間に形成される流路の面積が次第に拡大するように、上面８ｂが滑らかに湾曲するように流路が形成されることによって、上面８ｂに沿って円滑に空気が流れる。また、空間１２ｃに向かって照明部８の上面８ｂに沿って流れる空気の圧力は、天井と上面８ｂとの間に形成される流路の面積が次第に拡大することによって、次第に減少する傾向を有する。さらに、プロペラファン６０の羽根６の回転によって、羽根６の周囲には負圧が生じる。そのため、照明部８とプロペラファン６０との間における圧力差によって、照明部８の上面８ｂに沿って流れる空気は、空間１２ｃを通ってプロペラファン６０の羽根６の周囲まで容易に流れる。このように、照明部８の上面８ｂの形状によれば、送風性能を向上させることができる。
【００４６】
一方、開口１４から吹き出された気流は下面８ｆの外周に沿って斜め下方に円滑に流れることができるため、照明部８の下面８ｆのいずれかの位置において流れに剥離を生じさせることができる。そのため、照明部８の下面８ｆと、吹き出された気流との間に生じる静電気を最小限に抑えることができる。これにより、帯電した粉塵が照明部８の下面８ｆに付着すること（つまり、スマッジング）を抑制することができる。スマッジングを抑制することによって、照明部８の下面８ｆをクリアに保つことができるため、照度の低下を防ぐことが可能である。
【００４７】
また、下面８ｆが曲線形状を有するため、照明部８の内部の発光ダイオードから発せられる光がより広い範囲に拡散することにより、照明部８による光の照度を向上させることが可能である。さらに、気流が斜め下方に吹き出されるため、室内に気流を十分に行き渡らせることが可能である。
【００４８】
照明部８の上端８ａと天井との間には、一定の距離が設けられる。なお、一定の距離とは、例えば、一般的なシーリングライトの天面（上端面）と天井との間隔よりも大きく、且つ、プロペラファン６０の音が室内の空間に居る人にとって騒音とならない距離までの範囲をいう。
【００４９】
なお、照明器具１の上端は、頂壁１２ａの上端面の位置に該当する（図１参照）。頂壁１２ａの上端面の位置は、照明器具１が天井に設置される場合にローゼット２０の底面２０ａ（図１参照）に略一致する。ローゼット２０の突出高さが極めて零（ゼロ）に近い場合には、照明部８の上端８ａと頂壁１２ａの上端面との間の高さは、照明部８の上端８ａから天井までの距離と略一致する。
【００５０】
図４は、照明部８に取り付けられた複数の発光ダイオード８１の配置の一例を概略的に示す図であって、図１に示すＩＶ−ＩＶ線の縮小断面図である。照明部８においては、発光ダイオード８１は、フィボナッチ数列に従って配列されている。フィボナッチ数列とは、黄金角θ＝１３７．５°ごとに螺旋状に点を回転させながら配置したものであり、ひまわりの種の配列等に代表されるように自然界によく見られる。なお、図４において、空間８ｃに配置される羽根６（図１参照）等の図示は省略する。
【００５１】
図１に示すように、照明器具１においては、中心部に空間８ｃが形成されるため、中心部に空間が形成されない同一径の他の照明器具と比較して照度が低下するおそれがある。しかしながら、発光ダイオード８１（図４参照）をフィボナッチ数列に従って配列し、すなわち、ランダムな非格子状に発光ダイオード８１を配列することにより、照明部８において比較的多くの発光ダイオード８１を設置することが可能である。この効果とともに、非格子状の配列と下面８ｆの曲面形状とによって光を乱反射させることができるため、照度を保つことが可能である。
【００５２】
照明器具１（図１参照）のように、照明器具の中心部に送風機が配置された照明器具によれば、光を照射する面のうち、照明器具１の中心部付近の一部を送風機が隠すことにより、照明器具の斜め下方において照度が低下するおそれがある。また、送風機が回転する場合には、照明のチラつきとして照度が低下するおそれがある。しかしながら、図４に示すように、発光ダイオード８１をフィボナッチ数列に従って配列することにより、プロペラファン６０の回転によって一部の発光ダイオード８１が隠れるとしても、他の多くの発光ダイオード８１の発光と上記の乱反射とによって照明のチラツキを抑制することができる。
【００５３】
一方、図５は、照明部８に取り付けられた複数の発光ダイオードの配置の別の一例を概略的に示す図であって、図１に示すＩＶ−ＩＶ線の縮小断面図である。図４と図５とを比較すると、フィボナッチ数列に従った発光ダイオード８１の配列（図４参照）は、ハニカム格子状の発光ダイオード８２の配列（図５参照）よりも、限られたスペースにおいてより多く設置することができるため、照度の低下を抑制することができる。なお、図５においても、羽根６（図１参照）等の図示は省略する。
【００５４】
上記のように、プロペラファン６０の羽根６は、照明部８の中心部に形成された空間８ｃに配置される（図１参照）。ただし、鉛直方向に沿う方向について、羽根６の位置は、空間１２ｃ（図１参照）に羽根６の一部が配置されていればよい。図６は、照明器具１を概略的に示す縦断面図であって、空間におけるプロペラファン６０の羽根６の好ましい位置について説明するための図である。鉛直方向に沿う方向について、羽根６は、図６に示すように、照明部８の上端８ａの位置に羽根６の下端６ｂの位置が略一致する位置と、照明部８の下端８ｅの位置に羽根６の下端６ｂの位置が略一致する位置との間に配置されていればよい。図６において実線で示す羽根６の上端６ａと下端６ｂとは、照明部８の上端８ａと下端８ｅとの間に配置されている。
【００５５】
照明装置１において、空間８ｃに配置された羽根６の正面は、室内の床に対向する。一方、空間８ｃに配置された羽根６の背面は、天井に対向する。
【００５６】
以上のように、照明器具１は、プロペラファン６０と、照明部８とを備える。プロペラファン６０は、羽根６を含み且つ略鉛直方向に延びる回転軸線を有する。照明部８は、発光ダイオード８１を含む。羽根６は、照明部８の中心部に形成された空間８ｃに配置され、且つ、鉛直方向に沿う方向について、照明部８の上端８ａの位置に羽根６の下端６ｂの位置が略一致する位置と、照明部８の下端８ｅの位置に羽根６の下端６ｂの位置が略一致する位置との間に配置される。
【００５７】
照明器具１には、羽根６よりも上方から空間８ｃに空気を導入させる吸込口としての開口部分１３と、空間８ｃに連続するように空間８ｃの下方に位置し、且つ、空間８ｃの外部に空気を導出させる吹出口としての開口１４とが形成されている。照明器具１においては、全風量が８ｍ3／ｍｉｎ以上の空気が開口１４から吹き出されるように、開口１４の直径および羽根６の直径が設定され、且つ、プロペラファン６０が回転する。
【００５８】
照明器具１においては、プロペラファン６０の羽根６が、照明部８の中心部に形成された空間８ｃに配置されることにより、略水平方向においてプロペラファン６０をコンパクトに配置することができる。また、鉛直方向に沿う方向については、照明部８の上端８ａの位置に羽根６の下端６ｂの位置が略一致する位置と、照明部８の下端８ｅの位置に羽根６の下端６ｂの位置が略一致する位置との間に羽根６が配置される。そのため、鉛直方向に沿ってプロペラファン６０が照明部８から突出することが抑制されることによって、略鉛直方向においてプロペラファン６０をコンパクトに配置することができる。これにより、室内の居住者に圧迫感を覚えさせることを防止することができる。また、このような構成により、照明器具１の安全性が向上する。例えば、照明部８の下部に上述したカバー等を取り付けることが可能であるため、そのようにカバーが取り付けられる場合には、羽根６が室内空間に向かってむき出しになることが防止される。例えば、プロペラファン６０が駆動している場合に、室内において使用するボール等の遊具がプロペラファン６０に当たるときには、プロペラファン６０、モータ５もしくは周辺部品が破損または落下するおそれがある。また、落下した部品によって、室内の物が破損し、または、室内に居る人が怪我するような甚大な被害が発生することが予想される。しかしながら、照明部８の下部にカバー等を取り付けることによって、被害を最小限にとどめることが可能である。
【００５９】
また、照明器具１においてプロペラファン６０がコンパクトに配置されているため、従来の一般的なシーリングファンに比べて、照明器具１を天井に容易に取り付けることができる。照明器具１においてプロペラファン６０をコンパクトに配置するために、照明器具１の小型化および軽量化と、天井への取り付けの簡素化とを図ることができる。
【００６０】
さらに、照明器具１においては、空間８ｃに連続するように空間８ｃの下方に位置する開口１４により、プロペラファン６０の作動によって発生する気流を、略鉛直下方に吹き出させることができる。全風量が８ｍ3／ｍｉｎ以上であって、且つ、室内等の空間において略鉛直下方に移動する気流は、室内の空気を攪拌し、または、天井と床面との間を循環することができる。したがって、照明器具１は、空気調和対象の空間における温度分布のむらを解消させることができる。
【００６１】
このようにすることにより、プロペラファン６０をコンパクトに配置することが可能であるとともに、空気調和対象の空間における温度分布のむらを解消させることが可能なプロペラファン６０を備えた照明器具１を提供することができる。
【００６２】
照明器具１においては、全風量が８ｍ3／ｍｉｎ以上且つ３２ｍ3／ｍｉｎ以下の空気が開口１４から吹き出されるように、開口１４の直径および羽根６の直径が設定され、且つ、プロペラファン６０が回転する。
【００６３】
この全風量の範囲によれば、室内における快適性を高めることができるとともに、プロペラファン６０の作動によって生じる騒音を抑制することができる。
【００６４】
照明器具１においては、開口１４から吹き出される空気の風速が０．６ｍ／ｓ以上且つ１．７ｍ／ｓ以下であるように、プロペラファン６０が回転する。
【００６５】
この風速の範囲によれば、室内における快適性を高めることができるとともに、プロペラファン６０の作動によって生じる騒音を抑制することができる。
【００６６】
照明器具１においては、羽根６の直径ｄ1と、開口１４の直径ｄ0との間には、ｄ1≧０．８ｄ0の関係が成り立つ。
【００６７】
この構成によれば、羽根６の半径方向の外側において羽根６を覆う照明部８を、プロペラファン６０の回転によって最適に冷却することができる。これにより、照明部８の劣化を低減することができる。
【００６８】
照明部８は、照明部８において室内の床に面する下面８ｆを有する。下面８ｆは、斜め鉛直下方に向かって延びるように水平方向から傾斜する傾斜部を有する。
【００６９】
このような構成により、照明部８においてスマッジング（静電摩擦）の発生を抑制することができる。そのため、静電気によって照明器具１に汚れが付着することを防ぐことができるため、必要な照度を長く保つことができる。
【００７０】
照明部８において、複数の発光ダイオード８１は、フィボナッチ数列に従って配列される。この構成によれば、照明部８において比較的多くの発光ダイオード８１を設置することができる。また、非格子状の配列と下面８ｆの曲面形状とによって光を乱反射させることができるため、照度を保つことが可能である。
【００７１】
なお、照明部８が有する光源は、ランプ、蛍光灯、または、ＥＬ（エレクトロルミネッセンス、無機質もしくは有機質は問わない）等、光を発するものであればよい。モータ５および軸５ａは、正回転のみが可能であるように構成されていてもよい。
【００７２】
なお、照明部８は、吊部１１に対して、別の構成によって取り付けられていてもよい。例えば、照明部８に設けられた爪状の部分が吊部１１に形成された凹状の部分または孔に引っ掛けられるように、吊部１１に対して照明部８が固定されていてもよい。あるいは、爪状の部分は吊部１１に形成されていてもよく、凹状の部分または孔は照明部８に形成されていてもよい。
【００７３】
なお、空間１２ｃには、イオン発生器が配置されていてもよい。空間１２ｃに配置されるイオン発生器の数は、特に限定されない。複数のイオン発生器の配置について、隣り合う二つのイオン発生器は、空間１２ｃにおいて、等間隔であることが好ましい。なお、筐体１２の外部にイオン発生器が配置されるとしても、イオン発生器は、照明部８の上方、且つ、床面から真正面に照明器具１を見る人からイオン発生器が見えないような位置に、配置されることが好ましい。
【００７４】
なお、イオン発生器が発生させるイオンの例は、正イオンと負イオンとである。しかしながら、イオンの例は、特に限定されない。例えば、正イオンと負イオンとのイオン種を特定せずにイオンが発生する場合には、イオンが有する電荷によって、室内等の空間に浮遊する付着対象である物体の電位を除去すること、または、室内等の空間のイオンバランスを調整することができる。あるいは、空間１２ｃには、例えばラジカル成分を含む帯電微粒子水を生成する機器が配置されていてもよい。
【００７５】
また、以上のように、照明器具１は、プロペラファン６０と、発光体としての発光ダイオード８１または発光ダイオード８２を含む照明部８とを備える。プロペラファン６０は、羽根６と、羽根６を回転させるためのモータ５とを含む。プロペラファン６０は、略鉛直方向に延びる回転軸線を有する。
【００７６】
羽根６は、照明部８の中心部に形成された空間８ｃに配置される。また、羽根６は、鉛直方向に沿う方向について、照明部８の上端８ａの位置に羽根６の下端６ｂの位置が略一致する位置と、照明部８の下端８ｅの位置に羽根６の下端６ｂの位置が略一致する位置との間に配置される。照明器具１には、吸込口としての開口部分１３と、吹出口としての開口１４とが形成されている。開口部分１３は、羽根６よりも上方から空間８ｃに空気を導入させる。開口１４は、空間８ｃに連続するように空間８ｃの下方に位置し、且つ、空間８ｃの外部に空気を導出させる。照明器具１は、開口１４から吹き出される気流の全風量をＱ（ｍ3／ｍｉｎ）とし、モータ５の回転数をＮ（ｒｐｍ）とした場合に、Ｑ≦０．０９４Ｎ−１５．８が成り立つように、モータ５の回転数Ｎを制御する。全風量Ｑは、プロペラファン６０の略鉛直下方において測定される気流の風速、つまり、開口１４から吹き出される気流の風速に基づいて算出される。
【００７７】
このようなモータ５の回転数Ｎの値によれば、多くの場合において、床上約０．１ｍから１．８ｍの間における室内の温度差を３℃以内に抑えることができる。
【００７８】
照明器具１においては、モータ５の回転数Ｎ（ｒｐｍ）と、吹出口としての開口１４の直径ｄ0（ｍｍ）との間に、０．７４ｄ0≦Ｎ≦２．１９ｄ0の関係が成立するように、モータ５が制御される。
【００７９】
このようなモータ５の回転数Ｎの値によれば、室内における温度分布のむらを解消しつつ、プロペラファン６０の騒音を低減させることができる。
【００８０】
（第２実施形態）
図７に、本発明に従った照明器具の別の一例である照明器具１ａを示す。第２実施形態の照明器具１ａが第１実施形態の照明器具１（図１参照）と異なる点は、照明器具１ａが温度センサ５０を備えていることである。温度センサ５０は、照明器具１ａが設置される室内を循環する気流の温度を検知する。温度センサ５０は、空間１２に配置されており、隔壁１２ｂに取り付けられる。
【００８１】
図８は、照明器具１ａの制御関連を示す制御ブロック図である。温度センサ５０は、制御部３に接続されている。温度センサ５０によって検知される温度に基づいて、制御部３は、モータ５の駆動を制御する。後述するように、モータ５の駆動の開始または停止と、モータ５の回転数の増加または減少とが制御部３によって制御される。このように、照明器具１ａは、開口部分（吸込口）１３に吸い込まれる気流の温度または開口部分１３から吹き出される気流の温度であって温度検知部５０が検知する温度に基づいて、プロペラファン６０の回転数を最適に制御することができるように構成されている。なお、照明器具１ａのその他の構成は、第１実施形態の照明器具１（図１参照）と同様である。そのため、これらの構成については説明を省略する。
【００８２】
照明器具１ａは、温度センサ５０によって検知される温度に基づいて、プロペラファン６０の回転のＯＦＦとＯＮとを切り替えるモード（モータ５の自動運転モード）を有している。ユーザがリモートコントローラ３１（図８参照）を操作することによって、例えば「自動運転」を選択する場合に、このモードを実行することができる。例えば冬場に空気調和機（図示せず）を暖房運転として作動させる場合には、天井付近に暖かい空気がたまりやすい。モータ５の駆動によって回転するプロペラファン６０は、天井付近にたまった暖かい空気を撹拌することができる。空気調和対象の空間全体の温度が略一定することが温度センサ５０（図８参照）によって検知されるときには、モータ５の駆動が停止される。このようにすることによって、例えば冬場において室内の温度分布のむらを解消するための必要最低限の風を照明器具１ａから吹き出すことが可能であり、ユーザは風によって体感温度が低下する感覚を最小限にとどめることが可能である。また、夏場においても、室内の温度分布のむらを解消するための必要最低限の風を照明器具１ａから吹き出すことが可能であるため、室内における空気調和の効果を向上させることができる。
【００８３】
図９には、照明器具１ａ（図８参照）において実行される制御の一例のフローチャートであって、モータ５（図８参照）の自動運転モードとしての第１の自動運転モードの実行フローの例を示す。例えばユーザによるリモートコントローラ３１（図８参照）の操作によって「自動運転」が選択される場合に、モータ５の駆動が開始されるとともに、第１の自動運転モードの制御が開始される。
【００８４】
ステップＳ３０２においては、温度センサ５０が開口部分１３（いずれも図７参照）付近の空気の温度を検知する。温度センサ５０は、例えば１分おきに温度を計測および検知する。検知された温度の情報は、例えば制御部３（図８参照）に格納される。検知された温度の情報としては、累積して格納されていてもよく、都度、更新されていてもよい。
【００８５】
続いてステップＳ３０３においては、検知される温度が記憶された直近の温度から１℃以上変化したか否かが判定される。検知される温度が記憶された直近の温度から１℃以上変化していることが判定される場合には、温度のむらがまだ解消されていないという判断に基づいて、ステップＳ３０４においてモータ５の駆動が継続される。一方、検知される温度と直近の記憶された温度との差（絶対値）が１℃未満であることが判定される場合には、温度のむらが解消されたという判断に基づいて、ステップＳ３０５においてモータ５の駆動をＯＦＦする。モータ５の駆動がＯＦＦされると同時に、または、モータ５の駆動がＯＦＦされた直後には、ステップＳ３０３における判定に用いられた温度であって今回検知された温度が、後のステップＳ３０７において用いられる基準値として記憶される。なお、制御について必要な判定は、制御部３（図８参照）が実行する。また、制御部３は、タイマとしての機能とメモリとしての機能とを有する。第１実施形態の照明器具１（図２参照）も、判定に係る機能と、タイマとしての機能と、メモリとしての機能とを同様に有する。
【００８６】
ステップＳ３０５の後のステップＳ３０６においては、引き続き開口部分１３付近の空気の温度が検知される。続いてステップＳ３０７においては、ステップＳ３０３における判定に用いられた温度（基準値）から３℃以上変化しているか否かが判定される。ステップＳ３０７において３℃以上の変化がないことが判定される場合には、温度分布のむらが生じていないという判断に基づいて、ステップＳ３０８においてモータ５の駆動の停止を継続する。ステップＳ３０７において３℃以上変化していることが判定される場合には、温度分布のむらが生じているという判断に基づいて、ステップＳ３０９においてモータ５の駆動をＯＮする。ステップＳ３０２からステップＳ３０９までのフローは、リモートコントローラ３１（図８参照）によってモータ５の駆動のＯＦＦをユーザが操作するまで継続される。なお、照明器具１ａ（図７参照）には、モータ５の自動運転モードを手動で選択または解除するための操作部（図示せず）が設けられていてもよい。
【００８７】
図１０は、第１の自動運転モードによって変化する室内の温度として検知される温度と、第１の自動運転モードのシーケンスとの関係を模式的に示す図である。図１０において、縦軸は温度センサ５０が検知する温度を示し、横軸はモータ５の駆動のＯＮまたはＯＦＦを時系列で示している。図１０に示すＳ３０２〜Ｓ３０９は、図９におけるステップＳ３０２〜Ｓ３０９を示す。
【００８８】
以下においては、図１０を用いて、ユーザの操作によって第１の自動運転モードが開始されるまでに温度センサ５０（図８参照）が検知する天井付近の温度がＸ℃であって、検知される温度の第１の自動運転モードによる変化について説明する。モータ５の駆動が開始される場合には、例えば天井付近の暖かい空気がプロペラファン６０によって撹拌され、床付近の冷たい空気と混ざる。このように、モータ５の駆動が開始された後には、開口部分１３から流入する空気の温度が徐々に下がるため、温度センサ５０によって検知される温度も徐々に下がる。このような温度変化の行程において１分おきに温度が検知され（ステップＳ３０２）、且つ、１分前の温度と今回検知された温度との間に１℃以上の差があるかどうかが判定される（ステップＳ３０３）。
【００８９】
天井付近の暖かい空気と床付近の冷たい空気とが略完全に混ざると、略一定の温度（Ｙ℃）の空気が開口部分１３から流入し続ける。ステップＳ３０３において、１分前の温度と今回検知された温度との間に１℃以上の差がないと判定されると、ステップＳ３０５においてモータ５の駆動が停止される。なお、ステップＳ３０３における判定に用いられ且つ今回検知された温度（Ｙ℃）は、基準値として記憶される。
【００９０】
モータ５の駆動が停止された後においても、継続して１分おきに温度が検知され且つ記憶される（ステップＳ３０６）。また、ステップＳ３０６において１分おきに検知され且つ記憶される温度と、ステップＳ３０３において判定に用いられた温度（基準値（Ｙ℃））との差が３℃以上であるかどうかが判定される（ステップＳ３０７）。３℃以上の差がないことが判定される間には、モータ５の駆動が停止され続ける（ステップＳ３０８）。一方、３℃以上の差が生じていること、つまり、温度センサ５０（図８参照）が検知する温度が（Ｙ＋３）℃以上であることが判定されるときには、モータ５の駆動を開始する（ステップＳ３０９）。リモートコントローラ３１（図８参照）によってモータ５の駆動のＯＦＦをユーザが操作するまで、モータ５の自動運転モードのシーケンスが継続される。
【００９１】
なお、温熱指標の国際標準である「ＩＳＯ７７３０：２００５」を考慮して、モータ５の自動運転モードのステップＳ３０７における判定の閾値を（Ｙ＋３）℃に設定することが好ましい。また、空気調和対象の空間における温度分布のむらを解消させるという本発明の目的を考慮して、ステップＳ３０３においては、温度分布のむらが殆ど無いと見做すことができるように、さらに小さい閾値として、１．０℃よりも小さい温度変化を判定の閾値として用いることにしてもよい。
【００９２】
図１１には、照明器具１ａ（図８参照）において実行される制御の別の一例のフローチャートであって、第２の自動運転モードの実行フローの例を示す。第２の自動運転モードは、一定時間おきにモータ５のＯＮとＯＦＦとが切り替えられるモードである。第１の自動運転モードの制御と同様に、例えばユーザによるリモートコントローラ３１（図８参照）の操作によって「自動運転」が選択される場合に、モータ５の駆動が開始されるとともに、第２の自動運転モードの制御が開始される。なお、照明器具１ａ（図８参照）は、温度センサ５０の有無によらずに、第２の自動運転モードにおける制御を実行することができる。すなわち、第２の自動運転モードにおける制御については、温度センサを備えない第１実施形態の照明器具１（図２参照）も実行することができる。
【００９３】
また、図１２は、第２の自動運転モードによって変化する室内の天井付近の温度と、第２の自動運転モードのシーケンスとの関係を模式的に示す図である。図１２において、縦軸は第２の自動運転モードによって変化する室内の天井付近の温度を示し、横軸はモータ５の駆動のＯＮまたはＯＦＦを時系列で示している。図１２に示すＳ５０２〜Ｓ５０５は、図１１におけるステップＳ５０２〜Ｓ５０５を示す。
【００９４】
ステップＳ５０２においては、モータ５（図７参照）の駆動が開始されてから、予め設定された一定時間が経過したか否かが判定される。一定時間が経過したことが判定される場合には、ステップＳ５０３においてモータ５の駆動が停止される。モータ５の駆動が停止された後に、ステップＳ５０４においては、別の一定時間であって予め設定された一定時間が経過したか否かが判定される。ステップＳ５０４において、別の一定時間が経過したことが判定される場合には、ステップＳ５０５においてモータ５の駆動が再開される。ステップＳ５０２からステップＳ５０５までのフローは、リモートコントローラ３１（図８参照）によってモータ５の駆動のＯＦＦをユーザが操作するまで継続される。
【００９５】
第２の自動運転モードにおいては、第２の自動運転モードの開始前に温度Ｘ℃が検知されるとしても、開口部分１３付近の温度としてサーキュレーション効果によって得られる略一定の温度（つまりＹ℃）が検知されるように、モータ５の駆動のＯＮとＯＦＦとの切り替えを繰り返すことが好ましい。例えば、モータ５の駆動を５分間行なった後に、モータ５の駆動を３０分間停止することが好ましい。すなわち、ステップＳ５０２において判定に用いられる一定時間の好ましい例は５分であって、ステップＳ５０４において判定に用いられる別の一定時間の好ましい例は３０分である。
【００９６】
なお、第１の自動運転モードおよび第２の自動運転モードの例として、モータ５の駆動を停止（つまりＯＦＦ）および再開（つまりＯＮ）する場合について説明した。ただし、モータ５の駆動を停止する制御は、モータ５の回転数を減少する制御に置き換られてもよい。モータ５の駆動を開始する制御は、モータ５の回転数を増加させる制御に置き換えられてもよい。このような場合であっても、モータ５の回転数Ｎ（ｒｐｍ）と直径ｄ0（ｍｍ）との間には、０．７４ｄ0≦Ｎ≦２．１９ｄ0が成り立つことが好ましい。
【００９７】
以上のように、照明器具１ａは、温度センサ５０を備える。温度センサ５０は、開口部分１３から流入する空気の温度を検知する。照明器具１ａは、モータ５の駆動が開始された後において温度センサ５０によって検知される温度の値が所定の範囲に飽和する場合には、回転数が減少し、または、駆動が停止するようにモータ５を制御する。
【００９８】
さらに、回転数が減少するようにモータ５が制御されたときから、温度センサ５０によって検知される温度の値が所定の値以上に上昇する場合には、照明器具１ａは、回転数が増加するようにモータ５を制御する。あるいは、駆動が停止するようにモータ５が制御されたときから、温度センサ５０によって検知される温度の値が所定の値以上に上昇する場合には、照明器具１ａは、駆動を開始するようにモータ５を制御する。
【００９９】
また、本発明の別の局面に従った照明器具は、タイマとして機能する制御部を備える。さらに、当該照明器具は、送風機と、発光体を含む照明部とを備える。送風機は、羽根と、羽根を回転させるためのモータとを含む。送風機は、略鉛直方向に延びる回転軸線を有する。
【０１００】
当該照明器具において、羽根は、照明部の中心部に形成された空間に配置される。また、羽根は、鉛直方向に沿う方向について、照明部の上端の位置に羽根の下端の位置が略一致する位置と、照明部の下端の位置に羽根の下端の位置が略一致する位置との間に配置される。当該照明器具には、吸込口と吹出口とが形成されている。吸込口は、羽根よりも上方から空間に空気を導入させる。吹出口は、空間に連続するように空間の下方に位置し、且つ、空間の外部に空気を導出させる。
【０１０１】
当該照明器具は、モータの駆動が開始された後に所定の時間が経過する場合には、回転数が減少し、または、駆動が停止するようにモータを制御する。
【０１０２】
また、回転数が減少するようにモータが制御されたときから別の所定の時間が経過する場合には、当該照明器具は、回転数が増加するようにモータを制御する。あるいは、駆動が停止するようにモータが制御されたときから別の所定の時間が経過する場合には、当該照明器具は、駆動を開始するようにモータを制御する。さらに、当該照明器具は、一定時間おきに、モータの回転数を減少する制御またはモータの回転を停止する制御と、モータの回転数を増加する制御またはモータの回転を開始する制御とを行う。
【実施例】
【０１０３】
以下においては、本発明の実施例を具体的に説明する。なお、以下に示す実施例は一例であって、本発明は下記の実施例に限定されるものではない。
【０１０４】
（実験例１）
本発明に従った照明器具の効果の一つとして、室内等の空間において天井付近から下方に向かって流れる気流を発生させることによって、空気調和対象の室内における温度分布のむらを解消させることが可能であるといった効果がある。実験例１においては、この効果を検証するために、本発明に従った上記の照明器具１（図１参照）を室内の天井に設置し、当該室内において空気を調和する場合に照明器具１のプロペラファン６０を回転させることにより、プロペラファン６０から発生する気流による当該室内の温度分布の変化を確認した。このとき、吹出口としての開口１４の直径は３６５ｍｍであって、プロペラファン６０の羽根６の直径は３２０ｍｍであった。
【０１０５】
図１３は、実施例の実験例１が行われる室内における風速の測定点と温度差の測定点とを示す模式図であって、略水平方向に沿って当該室内を見た図である。図１４は、実施例の実験例１が行われる室内における風速の測定点と温度差の測定点とを示す模式図であって、天井から床に向かって当該室内を見た図である。
【０１０６】
照明器具１は、床面積１３．０ｍ2を有する実験対象の室内の天井の略中心に設置された。室内の床面から天井までの高さは、２４００ｍｍであった。照明器具１から生じる気流の風速と全風量とは、それぞれ、「ＪＩＳ  Ｃ９６０１：１９９９  扇風機」の「８．９  風速試験」に従って測定し、「８．１０  風量試験」に従って測定および算出した。まず、気流の風速を、床から１２０ｃｍの高さ、且つ、照明器具１の中心Ｃの鉛直下方から水平方向に５ｃｍ離れた位置Ｐ１（図１３，１４参照）において測定した。
【０１０７】
実験対象の室内において、空気調和機を冷房運転（設定温度が２０℃）で作動させ、冷房運転が開始されてから室内の温度の測定を開始した。室内の温度の測定は、照明器具１の中心Ｃの鉛直下方から水平に１００ｃｍ離れた地点であって、床から１８０ｃｍの高さの位置Ｐ２（図１３，１４参照）の温度と、床から５ｃｍの高さの位置Ｐ３（図１３，１４参照）の温度とを測定した。冷房運転が開始されてから１時間が経過した後に、プロペラファン６０を回転させた。なお、実験が実施されている間においては、照明器具１の光源を消灯させた。
【０１０８】
空気調和機の冷房運転と温度の測定とを開始してから１時間が経過する前の時点においては、床から１８０ｃｍの高さの位置Ｐ２の温度と５ｃｍの高さの位置Ｐ３の温度との間には、約６℃の温度差が生じていた。温度の測定を開始してから１時間後に、冷房運転を継続するとともにプロペラファン６０が８８０ｒｐｍで回転するようにプロペラファン６０の回転を開始した。
【０１０９】
図１５は、実施例の実験例１において得られるデータを示すグラフである。図１５のグラフは、プロペラファン６０から発生する気流の全風量に応じた当該室内の温度分布の変化を示す。
【０１１０】
プロペラファン６０の回転を開始してから５分が経過したときに、床から１８０ｃｍの高さの位置Ｐ２の温度と５ｃｍの高さの位置Ｐ３の温度との間の温度差は、０．４℃であった。このように、照明器具１のプロペラファン６０の作動によって、温度差、つまり、室内における温度分布のむらが明らかに解消された。なお、プロペラファン６０が８８０ｒｐｍで回転するときには、測定および算出された全風量は６７ｍ3／ｍｉｎであって（図１５参照）、風速は１．９ｍ／ｓであった。
【０１１１】
さらに、実験例１においては、プロペラファン６０の回転数の違いに応じた温度差の変化について確認した。上記のように床から１８０ｃｍの高さの位置Ｐ２の温度と５ｃｍの高さの位置Ｐ３の温度との間に約６℃の温度差を生じさせた後に、６００ｒｐｍの回転数でプロペラファン６０の回転を開始した。プロペラファン６０の回転を開始してから５分が経過したときには、温度差は０．５℃であった。このように、プロペラファン６０の作動によって温度差が明らかに解消された。なお、プロペラファン６０が６００ｒｐｍで回転するときには、測定および算出された全風量は３２ｍ3／ｍｉｎ（図１５参照）であって、風速は１．７ｍ／ｓであった。
【０１１２】
同様に、４００ｒｐｍの回転数でプロペラファン６０の回転を開始した。プロペラファン６０の回転を開始してから５分が経過したときには、温度差は１．１℃であった。プロペラファン６０が４００ｒｐｍで回転するときには、測定および算出された全風量は８ｍ3／ｍｉｎ（図１５参照）であって、風速は１．１ｍ／ｓであった。
【０１１３】
同様に、２００ｒｐｍの回転数でプロペラファン６０の回転を開始した。プロペラファン６０の回転を開始してから５分が経過したときには、温度差は４．０℃であった。プロペラファン６０が２００ｒｐｍで回転するときには、測定および算出された全風量は３ｍ3／ｍｉｎ（図１５参照）であって、風速は０．６ｍ／ｓであった。
【０１１４】
ところで、温熱指標の国際標準である「ＩＳＯ７７３０：２００５」においては、上下の温度分布（床上１０ｃｍから床上１１０ｃｍを上下と定義している）の限界に関して、３℃以内の上下の温度差を推奨している。よって、床から１８０ｃｍの高さの位置Ｐ２の温度と５ｃｍの高さの位置Ｐ３の温度との差を３℃未満に抑えるため、言い換えると、室内の温度分布のむらを解消するためには、８ｍ3／ｍｉｎ以上の全風量が必要であることを確認した。
【０１１５】
（実験例２）
実験例２においては、プロペラファン６０が発生させる気流の風速および全風量の値に応じた騒音値の変化、言い換えると、プロペラファン６０の回転数の違いに応じた騒音値の変化について確認した。騒音値としては、照明器具１のプロペラファン６０の回転によって生じる騒音の値を測定した。この騒音値は、床から１２０ｃｍの高さの位置にマイクを設置し、マイクを用いて騒音を測定することによって得た値である。なお、床から１２０ｃｍの高さは、成人男性が椅子に座った際の座高を想定した。また、実験例２において、実験例１と同様に、プロペラファン６０が発生させる気流の風速の値を測定するとともに、全風量の値を算出した。
【０１１６】
図１６は、実験例２において得られるデータを示すグラフである。図１６に示すように、全風量が３２ｍ3／ｍｉｎ（風速が１．７ｍ／ｓ）であるときに測定された騒音値は、４４ｄｂであった。騒音値４０ｄｂの音のレベルは、「エアコンの室内機」を示すレベルである。また、全風量が６７ｍ3／ｍｉｎ（風速が１．９ｍ／ｓ）であるときに測定された騒音値は、６８ｄｂであった。
【０１１７】
騒音値６８ｄｂの音のレベルは、例えば電気掃除機の騒音に相当するレベルである。室内においては６８ｄｂ以下の騒音値が得られる程度に、プロペラファン６０の回転数等を設定することが好ましい。
【０１１８】
さらに、図１６に示すように、全風量が３２ｍ3／ｍｉｎ以上且つ６７ｍ3／ｍｉｎ以下（風速が１．７ｍ／ｓ以上且つ１．９ｍ／ｓ以下）においては、騒音値が比較的高い上昇率で変化しているため、風速が１．７ｍ／ｓよりも大きい場合には騒音値が大きくなることが予想された。日常生活において望ましい音のレベルは上限値として６０ｄｂであることが一般的に言われているため、より好ましい全風量の例は３２ｍ3／ｍｉｎ以下であって、より好ましい風速の例は１．７ｍ／ｓ以下であることが確認された。
【０１１９】
（実験例３）
実験例３においては、標準新有効温度（ＳＥＴ：standard new effective temperature）の計算式に基づく演算により、プロペラファン６０が発生させる気流の風速に対する体感温度の値と、図示しない空気調和機における設定温度との差を、室内の快適性として確認した。実験例３においては、実験例１と同様に、プロペラファン６０が発生させる気流の風速の値を測定するとともに、全風量の値を算出した。
【０１２０】
図１７は、実験例３において得られるデータを示すグラフである。図１７のグラフは、プロペラファン６０が発生させる気流の風速に対する体感温度の値と上記空気調和機における感知温度すなわち室温との差と、プロペラファン６０が発生させる気流の風速との関係を示す。プロペラファン６０が発生させる気流の風速に対する体感温度の値は、標準新有効温度（ＳＥＴ）の計算式に基づいて算出される。ＳＥＴの計算条件のうち、着衣は夏着を想定することによってｃｌｏ＝０．７に設定し、代謝量はｍｅｔ＝１に設定し、相対湿度は６０％に設定して、ＳＥＴを計算した。上記空気調和機における設定温度を２８℃に設定し、上記空気調和機によって得られる室温２８℃から体感温度を差し引いた値を、測定される風速ごとにプロットした。
【０１２１】
図１７に示すように、風速が０．０ｍ／ｓのときは、室温と体感温度との差がマイナスの値で表れるため、室温よりも体感温度が高いことがわかる。風速が上昇するに従って風速が０．６ｍ／ｓに達するまでには、室温と体感温度との差が負の値から正の値に変化するとともに、比較的大きな上昇率で差が大きく変化する（風速０．０ｍ／ｓのときの体感温度と風速０．６ｍ／ｓのときの体感温度との差としての体感温度の変化が２．５℃である）ため、風速が０．０よりも大きく且つ０．６ｍ／ｓ未満のときには、体感温度が急激に下がっていることがわかる。
【０１２２】
風速が０．６ｍ／ｓ以上のときには、室温と体感温度との差の傾きが比較的小さい（風速０．６ｍ／ｓのときの体感温度と風速２．０ｍ／ｓのときの体感温度との差は１．７℃である）ため、プロペラファン６０の回転数を上昇させたとしても飽和することが予想される。しかしながら、風速が０．６ｍ／ｓ以上のときには、室温と体感温度との差が正の値で表されるため、室内の快適性を高めるための風速の値としては、０．６ｍ／ｓ以上の風速であることが好ましい。ただし、０．６ｍ／ｓよりも風速を大きくしても体感温度から得られる快適性は変わらないと考えられる。
【０１２３】
以上、実験例３によれば、風速が０．６ｍ／ｓ以上のときに、より快適な体感温度を得ることが可能であることが確認された。照明器具１（図１３参照）においては、風速が０．６ｍ／ｓのときに得られる全風量が３ｍ3／ｍｉｎであった。つまり、この風速および全風量が照明器具１から得られるときには、室内空間に居る人の体感温度を低下させることができるため、快適性をより高めることができる。このように、室内の快適性を高めるために必要な全風量は３ｍ3／ｍｉｎ以上であって、風速は０．６ｍ／ｓ以上であることが確認された。なお、騒音の観点においては、風速が１．７ｍ／ｓ以下であって全風量が３２ｍ3／ｍｉｎ以下であることが好ましい（図１６および実験例２参照）。
【０１２４】
（実験例４）
実験例４においては、吹出口としての開口１４の直径に対するプロペラファン６０の羽根６（いずれも図１参照）の直径を変更しながら、上記室内に設置された照明器具１（図１参照）においてプロペラファン６０を回転させる場合に変化する照明器具１の温度について確認した。実験例４において、羽根６の直径ｄ1は、開口１４の直径ｄ0に対して、０．７１ｄ0以上且つ０．９３ｄ0以下の範囲で変更した。
【０１２５】
図１８は、実験例４において得られるデータを示すグラフである。図１８のグラフは、開口１４の直径ｄ0に対する羽根６（いずれも図１参照）の直径ｄ1と、照明器具１の温度としての頂壁１２ａ（いずれも図１参照）の上端面の温度との関係を示す。
【０１２６】
頂壁１２ａの上端面の初期温度は、照明部８を所定の状態（全点灯）で点灯させてから３時間経過した後に測定した。プロペラファン６０を回転させた場合における頂壁１２ａの上端面の温度（図１８の縦軸）は、初期温度の測定後に、且つ、プロペラファン６０の回転を開始してから２時間経過した後に測定した。用いた羽根６の直径の寸法が幾らであるかにかかわらず、初期温度は約６０℃であった。
【０１２７】
プロペラファン６０の回転を開始した後には、プロペラファン６０の回転によって生じる吸気の影響により、プロペラファン６０のいずれの直径においても照明器具１の温度は低下した。具体的には、開口１４の直径ｄ0に対して、羽根６の直径ｄ1（いずれも図１参照）が０．７１ｄ0である場合には、約Δ４℃であって、直径ｄ1が０．７７ｄ0である場合には約Δ１６℃であった。
【０１２８】
以上、実験例４によれば、開口１４の直径ｄ0に対する羽根６の直径ｄ1（いずれも図１参照）が０．７７ｄ0、例えば、０．８ｄ0以上であるときに、照明器具１を十分に冷却させることが可能であることが確認された。なお、騒音の抑制の観点においては、開口１４の直径ｄ0に対する羽根６の直径ｄ1は、０．９ｄ0未満であることが好ましい。
【０１２９】
以上の実施例によれば、室内の温度分布のむらを解消させるために、好ましい全風量の例は８ｍ3／ｍｉｎ以上であることが確認された。また、騒音の抑制の観点においては、好ましい全風量の例は３２ｍ3／ｍｉｎ以下であることが確認された。さらに、室内の快適性の観点においては、好ましい風速の例は０．６ｍ／ｓ以上且つ１．７ｍ／ｓ以下であることが確認された。
【０１３０】
開口１４の直径ｄ0に対する羽根６の直径ｄ1（いずれも図１参照）については、照明器具１の冷却の観点において、好ましい羽根６の直径ｄ1の例は、０．８ｄ0以上である。騒音の抑制の観点において、好ましい羽根６の直径ｄ1の例は、０．９ｄ0未満であることが確認された。
【０１３１】
（実験例５）
実験例５においては、照明器具１（図１参照）を室内の天井に設置し、当該室内において空気を調和する場合にプロペラファン６０を回転させることにより、飽和した温度差の値であって、床から１８０ｃｍの高さの位置Ｐ２（図１３，１４参照）の温度と、床から約１０ｃｍの高さの位置の温度との差を確認した。また、実験例５において、実験例１と同様に、プロペラファン６０が発生させる気流の風速の値を測定するとともに、全風量の値を算出した。
【０１３２】
実験対象の室内において、空気調和機を所定の設定温度の暖房運転で作動させ、暖房運転が開始された後にモータ５の駆動を開始した。モータ５の駆動を開始した後に、所定の回転数（Ｎｒｐｍ）ごとに、照明器具１ａの中心Ｃの鉛直下方から水平に１００ｃｍ離れた地点であって、床から１８０ｃｍの高さの位置Ｐ２（図１３，１４参照）の温度と、床から約１０ｃｍの高さの位置の温度とを測定し、これらの温度差であって飽和した温度差の値を確認した。
【０１３３】
図１９は、実験例５において得られるデータを示すグラフである。図１９のグラフは、プロペラファン６０のモータ５（いずれも図１参照）の回転数Ｎ（ｒｐｍ）とプロペラファン６０から発生する気流の全風量Ｑ（ｍ3／ｍｉｎ）との関係を示すグラフと、モータ５の回転数Ｎ（ｒｐｍ）と室内における温度差の飽和値との関係を示すグラフである。
【０１３４】
図１９に示すように、回転数がＮ＝２００ｒｐｍのときに算出された全風量Ｑ（ｍ3／ｍｉｎ）の値と、回転数がＮ＝８８０ｒｐｍのときに算出された全風量Ｑ（ｍ3／ｍｉｎ）の値とを結ぶ直線Ｌは、Ｑ＝０．０９４Ｎ−１５．８で示された。図２９に示すように、Ｑ≦０．０９４Ｎ−１５．８が成り立つ場合は、床上約０．１ｍから１．８ｍの間における室内の温度差を３℃以内に抑えるという効果を発揮し易い事例であることが確認された。
【０１３５】
図２０は、実験例５において得られるデータを示すグラフであって、モータ５（図１参照）の回転数Ｎ（ｒｐｍ）と室内における温度差の飽和値との関係について、横軸を示すモータ５の回転数Ｎを開口１４（図１参照）の直径ｄ0に対応させたグラフである。
【０１３６】
図２０に示すように、モータ５の回転数Ｎと開口１４の直径ｄ0と関係について、Ｎ≧０．７４ｄ0の関係式が成り立つ場合には、略確実に床上約０．１ｍから１．８ｍの間における温度差を３℃以内に抑えることが可能であると確認された。
【０１３７】
図２１は、実験例５において得られる別のデータを示すグラフである。図２１のグラフは、モータ５の回転数に応じた騒音値の変化を示す。ただし、横軸を示すモータ５の回転数Ｎを開口１４の直径ｄ0に対応させている。騒音値（ｄＢ）については、照明器具１から鉛直下方に約１．０ｍ離れた地点における騒音の値を、実験例２と同様の方法で測定した。
【０１３８】
図２１に示すように、モータ５の回転数Ｎと開口１４の直径ｄ0と関係について、Ｎ≦２．１９ｄ0の関係式が成り立つ場合には、照明器具１から鉛直下方に約１．０ｍ離れた地点においてプロペラファン６０の回転による騒音が急激に上昇する回転数Ｎよりも小さい回転数Ｎを得ることができる。このようにモータ５の回転数を制御することにより、室内における温度分布のむらを解消しつつ、プロペラファン６０の騒音を低減させることができる。
【０１３９】
以上に開示された実施の形態はすべての点で例示であって制限的なものではないと考慮されるべきである。本発明の範囲は、以上の実施の形態ではなく、特許請求の範囲によって示され、特許請求の範囲と均等の意味および範囲内でのすべての修正と変形を含むものである。
【符号の説明】
【０１４０】
１：照明器具、５：モータ、５ａ：軸、６：羽根、６ａ：上端、６ｂ：下端、８：照明部、８ａ：上端、８ｃ：空間、８ｅ：下端、８ｆ：下面、１３：吸込口、１４：吹出口、６０：プロペラファン、８１：発光ダイオード
【図１】
2014152627.tif 000003
【図２】
2014152627.tif 000004
【図３】
2014152627.tif 000005
【図４】
2014152627.tif 000006
【図５】
2014152627.tif 000007
【図６】
2014152627.tif 000008
【図７】
2014152627.tif 000009
【図８】
2014152627.tif 000010
【図９】
2014152627.tif 000011
【図１０】
2014152627.tif 000012
【図１１】
2014152627.tif 000013
【図１２】
2014152627.tif 000014
【図１３】
2014152627.tif 000015
【図１４】
2014152627.tif 000016
【図１５】
2014152627.tif 000017
【図１６】
2014152627.tif 000018
【図１７】
2014152627.tif 000019
【図１８】
2014152627.tif 000020
【図１９】
2014152627.tif 000021
【図２０】
2014152627.tif 000022
【図２１】
2014152627.tif 000023